(57)【要約】【課題】旅客機のエコノミ-クラスで長時間、着座拘束され旅行する時、足の苦痛は想像以上であり、エコノミ-クラス症候群と呼ばれる血栓症を引き起こすことがある。このこの苦痛を緩和し、癒し、また血栓症を防止し、安全、安心して使用でき、より快適な空の旅を促進する、ブランコ式足掛け運動具を提供する。【解決手段】略長方形の足掛けプレート1ｂの両端に開けた通し孔２a，２bに、長さ調整部４ｂを持つ長尺バンド４aを挿通したブランコ式足掛け運動具１aを提供する。【選択図】図１
0003102057.tif 000002
【実用新案登録請求の範囲】
【請求項１】
略長方形の足掛けプレート1ｂの両端に開けた通し孔２a，２bに、長さ調整部４ｂを持つ長尺バンド４aを挿通した、ブランコ式足掛け運動具１a。
【考案の詳細な説明】
【技術分野】
【０００１】
本考案は、長時間、着座屈曲を余儀なくされる飛行機旅行において、足休息のみならず、足運動を容易にして、エコノミークラス症候群と呼ばれる、血栓症障害を防止するために使用する、ブランコ式足掛け運動具に関するものである。
【背景技術】
【０００２】
従来の近似技術として、次の出願例のように、携帯用の布製袋式、厚紙プレート式、布製帯式等の足置き具があった。
【特許文献１】実開平０１−４９４８、登録実用新案第３０８２９５９号(考案の名称：携帯用足掛け具)
【特許文献２】実開平０７−３６２２、登録実用新案第３０２０５８０号（考案の名称：椅子用足乗せ台）
【特許文献３】特許公開平７−２２８１７９（発明の名称：足載せステップ）
【考案の開示】
【考案が解決しようとする課題】
【０００３】
これらには次のような問題点があった。
[特許文献  １]のものは、携帯用で、布製袋式の足置き具に関するものである。足置き部は柔軟構造で、両足を乗せると、Ｖ字型に懸垂されるため、足重なり、足圧迫、布部と足との局部過接触による食い込みがおこり、苦痛のため長時間は使用できなかった。また、足は袋状に包まれ通気性が悪く、蒸れる状態になり不快であった。単なる足置き具で、足運動等はできなかった。
【０００４】
[特許文献  ２]のものは、携帯用に供するものとして、厚紙プレートを使用し、その４隅に支持紐体を取りつけ、テーブルの支持脚に結びつけて使用する、足置き具に関するものである。傾倒されたシートテーブルへの懸垂を念頭において考案されているが、シートテーブルは頻繁に、前座後背面（元の位置）への収納や通常使用への傾倒を繰り返し、また、テーブルは安全対策上、ほとんどの時間、元の位置に収納された状態におかれる。
【０００５】
この通常使用と収納状態を繰り返す場合、４点支持が災いし、バランスよく懸垂することができない。また、高さ調整時は支持紐体を結び直すが、狭い座席での作業は困難なものであった。紙製は耐久性に欠けており、足運動はできにくいものであった。
【０００６】
[特許文献  ３]のものは、携帯用に供する、布製帯状の足置き具である。支持部材や係止部材は、手荷物等の肩掛けにも転用できるように考案されているが、この係止部材でシートテーブルへ取りつけると、テーブルの支持金具をすべり落ち、固定出来なかった。
【０００７】
足置き部は柔軟構造で、両足を乗せるとＶ字型に懸垂されるため、両足の重なり、圧迫がおこる。両足の分離帯が縫製されているが、ここに踵を入れると足と帯との局部過接触による食い込みがおこり、苦痛のため長時間は使用できなかった。
【０００８】
また、テーブルの傾倒、収納を繰り返すとき、長さ調整を頻繁に、速やかに行う必要があるが、足置き部と支持部材は縫い合わせ接合されているため、長さ調整は容易でなかった。また、支持部材の左右を均等長さに吊り下げることも困難であった。
【０００９】
足置き具を付けたまま、テーブルを元の位置へ収納する時、支持部材や係止部材が障害となり収納はできにくかった。
【００１０】
足は、Ｖ字状になった足置き部で拘束され、また、吊り下げは、上部２支持点を底辺、足部を頂点とする逆三角形構造となっているので動きは制限され、足運動を随時、活発にできなかった。
【００１１】
長時間、両足を乗せ、ゆっくりと休息ができなく、また、足底やふくらはぎを刺激し、血行を良くすることもできなかった。
【００１２】
総じて言えば、日本から米国やヨーロッパに、エコノミ-クラスで、１０時間以上飛行する場合、飛行機は高効率運行のためほぼ満席の状況で飛行する。狭いシートに座り、下半身はシートベルトで固定されていると、足の苦痛は想像以上である。
【００１３】
機内ビデオで、足体操が放映され実施はするが、苦痛は緩和されない。また、現在、発売されている、携帯用の布製帯式、布製袋式のものは、足の位置をフロアより若干高く吊るための、単なる、足置き具で、人間工学的に運動、休息、休眠、安心、癒し、遊び心等の配慮がなく、長時間の使用は苦痛であった。本考案はこれらの問題点を解決するためになされたものである。
【課題を解決するための手段】
【００１４】
略長方形の足掛けプレート1bの両端に開けた通し孔２a，２bに、長さ調整部４ｂを持つ、長尺バンド４aを挿通した、ブランコ式足掛け運動具１aである。
【考案の効果】
【００１５】
このブランコ式足掛け運動具においては、前後左右、自在に足を振り動かすことができ、足掛け部とその支持部材の長尺バンドは非固定のため、随時、吊り下げ長さが変えられ、膝下足の運動を幅広いものとすることができる。
また、足掛けプレートの表裏を反転することにより、裏面のイボ面を使用すると、足底部を押圧し、刺激を与え、血行を促進することができる。
【００１６】
このブランコ式足掛け運動具による、足部の積極的な運動、プレート面による足底部を押圧し、刺激を与えることにより、足を中心とした体の血行を改善促進し、エコノミ-クラス症候群と呼ばれる、血栓症を防止することができる。
【００１７】
ブランコ式のため、遊び心も加わり、足拘束から開放され、癒されこのエコノミ-クラスの苦痛が大幅に緩和され、長時間旅行時における、心身の安全性を高める効果がある。
【００１８】
また、当具は列車、バス及び船の旅行においても携帯利用でき、長時間の着座を安楽なものとすることができる。
【考案を実施するための最良の形態】
【００１９】
このブランコ式足掛け運動具１aの足掛けプレート１ｂの両端には、長尺バンド４aを自在に挿通できる、通し孔２a、２ｂ開けられ、またこの通し孔２a、２ｂには、両端部より切り込み部２ｃ、２ｄが設けられている。足掛けプレート１ｂの上面は通常使用用に曲面３aと裏面は血行促進用にイボ面３ｂが配置される。
【００２０】
長尺バンド４aを、長くループ状に、長さ調整部４ｂで連結し、足掛けプレート１ｂの曲面３aを上にして、この長尺バンド４aを、切り込み部２ｃ、２ｄより、挿着すれば組立ては完了する。本考案は以上のような構成で、これを使用する時は、次のようにする。
【００２１】
図２の（a）に示されるように、組み立てられた当運動具を、同図の（ｂ）に示すように、長尺バンド４aをシートテーブル５aに掛けるように置く。次に、この長尺バンド４aの長さ調整部４ｂを、手で操作しやすいよう、シートテーブル５aの直下６となるようにおき、シートテーブル５aと支持金具５b、５ｃとの連結に供される、枢軸部５ｄ、５eに巻き掛けるように固定すると、取り付けは完了する。
【００２２】
足掛けプレート１ｂは、通し孔２a、２ｂを介して、長尺バンド４a上を自在に移滑するが、一旦、足を掛けると、プレート裏面とバンドとの圧着摩擦によるブレーキ効果で、所定位置で固定することができる。よって、足掛けプレート１ｂが水平になるよう調整した後、足を掛ける。
【００２３】
足を掛けると、適宜、膝を前後に屈伸させる前後スイング運動や、左右に振る左右スイ
ング運動を行い、また、両つま先部をプレートに乗せた、かかと上下運動、両かかと部をプレートに乗せた、つま先上下運動、長尺バンド４aを調整し、両足に巻きつけて、ふくらはぎ押圧運動をする。
【００２４】
長さ調整部４ｂにより、随時、足掛けプレート１ｂの高さ調整して使用する。
【００２５】
また、当具の特色とした、足部血行促進のため、適宜、プレートを反転させ、裏面のイボ面３ｂを使用し、足底部の押圧運動をおこなう。
【００２６】
当具使用時、足掛け具にかかる荷重は、体重の約２０%〜３０%が作用するが、当支持金具５ｂには、少なくとも、約１００Kgの荷重に耐えるよう設計されており、強度的に問題ない。ただし、上下に過大な衝撃を与えないように使用し、基本的には、当具は離陸、着陸時は使用しない。
【００２７】
足掛けプレート１ｂの材質はプラスチック又は木製が望ましい。
【実施例１】
【００２８】
裏面の形状として、溝面や凹凸面も使用することができる。
【図面の簡単な説明】
【００２９】
【図１】本考案の使用中の状態を示す斜視図である。
【図２】本考案の組立て斜視図及び取りつけ要領図であり、（a）は足掛けプレート、長尺バンド及び長さ調整部の組み立て図、（ｂ）はシートテーブルへの上面掛け取りつけ要領を示す。
【図３】本考案の足掛けプレート上面及び裏面の形状を示す斜視図、（a）は通常使用する上面用の曲面、（ｂ）は裏面用のイボ面を示す。
【符号の説明】
【００３０】
１ａ  ブランコ式足掛け運動具
１ｂ  足掛けプレート
２a  通し孔
２b  通し孔
２ｃ  切り込み部
２ｄ  切り込み部
３a  曲面
３ｂ  イボ面
４a  長尺バンド
４ｂ  長さ調整部
５a  シートテーブル
５ｂ  支持金具
５c  支持金具
５d  枢軸部
5e  枢軸部
６  直下
【図１】
0003102057.tif 000003
【図２】
0003102057.tif 000004
【図３】
0003102057.tif 000005